(57)【要約】【課題】  内部に遺骨が収納される納骨室（納骨堂）を備えた墓の換気構造について、納骨室の内部の湿った空気を確実に換気して納骨室の内部の黴付きや石材からなる外柵や納骨室の側壁の劣化を有効に防止する。【解決手段】  基礎の上に立設された外柵１の内部に側壁２１，２２で納骨室２が区画形成され、納骨室２の内部と墓の外部とを連通する通気孔を備えている。通気孔としては、納骨室２の上部を閉塞する墓石４の芝台４ｄに芝台４ｄの底面と１つの側面との間に配設された少なくとも１つの上部通気孔７が設けられ、外柵１と納骨室２の側壁２１，２２との一方または双方に下部通気孔５が設けられている。【選択図】図１
2011219984.tif 000002
【特許請求の範囲】
【請求項１】
基礎の上に立設された外柵の内部に側壁で納骨室が区画形成され、納骨室の内部と墓の外部とを連通する通気孔を備えた墓の換気構造において、納骨室の上部を閉塞する墓石の芝台に芝台の底面と１つの側面との間に配設された少なくとも１つの上部通気孔が設けられ、外柵と納骨室の側壁との一方または双方に下部通気孔が設けられていることを特徴とする墓の換気構造。
【請求項２】
請求項１の墓の換気構造において、外柵と納骨室の側壁との間に空間が形成され、外柵と納骨室の側壁とにそれぞれ設けられた下部通気孔がパイプで接続されていることを特徴とする墓の換気構造。
【請求項３】
請求項２の墓の換気構造において、パイプはパイプの内部と外柵と納骨室の側壁との間に空間とに連通する小孔が穿孔されていることを特徴とする墓の換気構造。
【請求項４】
請求項３の墓の換気構造において、納骨室の側壁は外柵と納骨室の側壁との間の空間と納骨室の内部とを連通する補助通気孔が設けられていることを特徴とする墓の換気構造。
【発明の詳細な説明】
【技術分野】
【０００１】
本考案は、内部に遺骨が収納される納骨室（納骨堂）を備えた墓の換気構造に係る技術分野に属する。
【背景技術】
【０００２】
一般的な墓では、基礎の上に立設された外柵の内部に側壁で納骨室が区画形成されている。従って、納骨室には基礎を介して地下水，雨水等が浸潤しやすく、納骨室の内部が黴付いたり石材からなる外柵や納骨室の側壁が劣化するという不具合が生じやすい。このため、納骨室の内部の湿った空気を換気する技術の開発が要望されている。
【０００３】
従来、納骨室の内部の湿った空気を換気する技術としては、例えば、特許文献１，２に記載のものが知られている。
【０００４】
特許文献１には、基礎の上に立設された外柵の内部に側壁で納骨室が区画形成され、納骨室の上部を閉塞する墓石の芝台に相対する側面に貫通するように配設されて納骨室の内部と墓の外部とを連通する通気孔が設けられた墓の換気構造が記載されている。
【０００５】
特許文献１に係る墓の換気構造は、納骨室の内部に通気孔の一方側から墓の外部の空気を自然流入させて、納骨室の内部の湿った空気を通気孔の他方側から墓の外部に排出させるものである。
【０００６】
特許文献２には、基礎の上に立設された外柵の内部に側壁で納骨室が区画形成され、外柵と納骨室の側壁とに納骨室の内部と墓の外部とを連通する複数個の通気孔が設けられた墓の換気構造が記載されている。
【０００７】
特許文献２に係る墓の換気構造は、納骨室の内部に一方の通気孔から墓の外部の空気を自然流入させて、納骨室の内部の湿った空気を他方の通気孔から納骨室の外部に排出させるものである。
【先行技術文献】
【特許文献】
【０００８】
【特許文献１】実用新案登録第３１２０５０７号公報
【特許文献２】特開２００７−２０４９４２号公報
【発明の概要】
【発明が解決しようとする課題】
【０００９】
特許文献１に係る墓の換気構造では、風向，風力等によって墓の外部の空気が通気孔の一方側から他方側にストレートの抜けてしまって、納骨室の内部の湿った空気（特に納骨室の下部側）を排出できないことがあるため、納骨室の内部の黴付きや石材からなる外柵や納骨室の側壁の劣化を有効に防止することができないという問題点がある。
【００１０】
特許文献２に係る墓の換気構造では、納骨室の内部に側方から流入した墓の外部の空気で納骨室の内部の湿った空気を側方に排出させるもので、納骨室の内部の湿った空気が上部の墓石の芝台付近に滞溜してしまうため、納骨室の内部の黴付きや石材からなる外柵や納骨室の側壁の劣化を有効に防止することができないという問題点がある。
【００１１】
本発明は、このような問題点を考慮してなされたもので、納骨室の内部の湿った空気を確実に換気して納骨室の内部の黴付きや石材からなる外柵や納骨室の側壁の劣化を有効に防止することのできる墓の換気構造を提供することを課題とする。
【課題を解決するための手段】
【００１２】
前述の課題を解決するため、本発明に係る墓の換気構造は、特許請求の範囲の各請求項に記載の手段を採用する。
【００１３】
即ち、請求項１では、基礎の上に立設された外柵の内部に側壁で納骨室が区画形成され、納骨室の内部と墓の外部とを連通する通気孔を備えた墓の換気構造において、納骨室の上部を閉塞する墓石の芝台に芝台の底面と１つの側面との間に配設された少なくとも１つの上部通気孔が設けられ、外柵と納骨室の側壁との一方または双方に下部通気孔が設けられていることを特徴とする。
【００１４】
この手段では、納骨室の上部に上部通気孔が連通され、納骨室の側部に下部通気孔が連通されることで、納骨室の全体に内部の湿った空気が上下方向へ確実に流れる排出経路が構成される。
【００１５】
また、請求項２では、請求項１の墓の換気構造において、外柵と納骨室の側壁との間に空間が形成され、外柵と納骨室の側壁とにそれぞれ設けられた下部通気孔がパイプで接続されていることを特徴とする。
【００１６】
この手段では、下部通気孔がパイプで接続されることで、流入する墓の外部の空気や排出される納骨室の内部の湿った空気が無用に分散されなくなる。
【００１７】
また、請求項３では、請求項２の墓の換気構造において、パイプはパイプの内部と外柵と納骨室の側壁との間に空間とに連通する小孔が穿孔されていることを特徴とする。
【００１８】
この手段では、パイプに小孔が穿孔されることで、流入する墓の外部の空気や排出される納骨室の内部の湿った空気の一部が外柵と納骨室の側壁との間に空間に流入され、流入する墓の外部の空気や排出される納骨室の内部の湿った空気の流れが加速される。
【００１９】
また、請求項４では、請求項３の墓の換気構造において、納骨室の側壁は外柵と納骨室の側壁との間の空間と納骨室の内部とを連通する補助通気孔が設けられていることを特徴とする。
【００２０】
この手段では、納骨室の側壁に外柵と納骨室の側壁との間の空間と納骨室の内部とを連通する補助通気孔が設けられることで、空間に流入した墓の外部の空気や排出される納骨室の内部の湿った空気が納骨室の内部に流入したり、納骨室の内部の湿った空気が空間，パイプの小孔を介して排出され、納骨室の周囲に墓の外部の空気や納骨室の内部の湿った空気の滞溜部分が消失される。
【発明の効果】
【００２１】
本発明に係る墓の換気構造は、納骨室の上部に上部通気孔が連通され、納骨室の側部に下部通気孔が連通されることで、納骨室の全体に内部の湿った空気が上下方向へ確実に流れる排出経路が構成されるため、納骨室の内部の湿った空気を確実に換気して納骨室の内部の黴付きや石材からなる外柵や納骨室の側壁の劣化を有効に防止することができる効果がある。
【００２２】
さらに、請求項２として、下部通気孔がパイプで接続されることで、流入する墓の外部の空気や排出される納骨室の内部の湿った空気が無用に分散されなくなるため、納骨室の内部の湿った空気をより確実に換気して納骨室の内部の黴付きや石材からなる外柵や納骨室の側壁の劣化をより有効に防止することができる効果がある。
【００２３】
さらに、請求項３として、パイプに小孔が穿孔されることで、流入する墓の外部の空気や排出される納骨室の内部の湿った空気の一部が外柵と納骨室の側壁との間に空間に流入され、流入する墓の外部の空気や排出される納骨室の内部の湿った空気の流れが加速されるため、納骨室の内部の湿った空気をより確実に換気して納骨室の内部の黴付きや石材からなる外柵や納骨室の側壁の劣化をより有効に防止することができる効果がある。
【００２４】
さらに、請求項４として、納骨室の側壁に外柵と納骨室の側壁との間の空間と納骨室の内部とを連通する補助通気孔が設けられることで、空間に流入した墓の外部の空気や排出される納骨室の内部の湿った空気が納骨室の内部に流入したり、納骨室の内部の湿った空気が空間，パイプの小孔を介して排出され、納骨室の周囲に墓の外部の空気や納骨室の内部の湿った空気の滞溜部分が消失されるため、納骨室の内部の湿った空気をより確実に換気して納骨室の内部の黴付きや石材からなる外柵や納骨室の側壁の劣化をより有効に防止することができる効果がある。
【図面の簡単な説明】
【００２５】
【図１】本発明に係る墓の換気構造を実施するための第１例の墓の分解斜視図である。
【図２】図１の後方からみた組立状態図である。
【図３】図１の横断面図である。
【図４】図２の縦断面図である。
【図５】本発明に係る墓の換気構造を実施するための第２例の断面図である。
【図６】本発明に係る墓の換気構造を実施するための第３例の断面図である。
【図７】本発明に係る墓の換気構造を実施するための第４例の断面図である。
【発明を実施するための形態】
【００２６】
以下、本発明に係る墓の換気構造を実施するための形態を図面に基づいて説明する。
【００２７】
図１〜図４は、本発明に係る墓の換気構造を実施するための形態の第１例を示すものである。
【００２８】
第１例では、外柵１の一部を利用して納骨室２を構成するものを示してある。
【００２９】
外柵１は、前外柵１ａ，後外柵１ｂ，右外柵１ｃ，左外柵１ｄの石材からなる。前外柵１ａ，後外柵１ｂ，右外柵１ｃ，左外柵１ｄは、平面形状が長方形になるように組まれて地面に打設されたコンクリート等からなる平盤状の基礎３の上に立設され、さお４ａ，上台４ｂ，中台４ｃ，芝台４ｄからなる墓石４の底面積（最下部の芝台４ｄの底面積）よりもかなり広い底面積を有するように構築されている。
【００３０】
納骨室２は、外柵１の内部の中央に右側壁２ａ，左側壁２ｂと外柵１の前外柵１ａ，後外柵１ｂａによって囲まれる直方体の空間構造として構成されている。即ち、右側壁２ａ，左側壁２ｂと平面形状が長方形に組まれることになる前側壁，後側壁については、外柵１の前外柵１ａ，後外柵１ｂが兼用されている。
【００３１】
これ等の外柵１と納骨室２の側壁（右側壁２ａ，左側壁２ｂ）との構成から、外柵１の内部の納骨室２の左右側には空間Ｓが形成されている。空間Ｓの内部には、砂利８が充満されている。空間Ｓの上部は、踏板９で覆われている。踏板９は、納骨室２の上部を閉塞する墓石４の芝台４ｄの一部を支持している。
【００３２】
納骨室２の後側壁を兼用している外柵１の後外柵１２には、ほぼ中央部に下部通気孔５が貫通されて２個並列して設けられている。即ち、下部通気孔５は、墓の外部と納骨室２の内部とを連通している。なお、下部通気孔５の両端部（外柵１の後外柵１２の表裏面部付近）には、虫類の侵入と雨水の無用の浸入とを防止するとともに美観を高めるためのメッシュ状の蓋体６が取付けられている。なお、下部通気孔５を外柵１の前外柵１ａに設けていないのは、美観の低下を避けるためである。
【００３３】
墓石４の芝台４ｄには、３個の上部通気孔７が底面と３つの側面（右側面，左側面，後側面）とをそれぞれ貫通するように設けられている。即ち上部通気孔７は、墓の外部と納骨室２の内部とを連通している。各上部通気孔７は、断面形状がＬ字形の配設形状となって３個が互いに分岐，連通等せず独立した配設となっている。なお、下部通気孔５の両端部（外柵１の後外柵１２の表裏面部付近）には、虫類の侵入と雨水の無用の浸入とを防止するとともに美観を高めるためのメッシュ状の蓋体６が取付けられている。なお、上部通気孔７を墓石４の芝台４ｄの前側面に設けていないのは、美観の低下を避けるためである。
【００３４】
第１例によると、納骨室２の上部に上部通気孔７が連通され、納骨室２の側部に下部通気孔５が連通されることで、納骨室２の全体に内部の湿った空気が上下方向へ確実に流れる排出経路が構成されることになる。
【００３５】
納骨室２の内部の湿った空気は、通常、自然に上昇して上部通気孔７から流出する。そして、わずかに負圧になった納骨室２の内部には、下部通気孔５から墓の外部の空気が流入する。さらに、納骨室２の内部に流入した墓の外部の空気は、納骨室２の内部の湿った空気の上昇を助勢して積極的に排出させるように作用する。従って、納骨室２の内部の湿った空気が換気されることになる。このとき、上部通気孔７が独立しているため、特許文献１に係る墓の換気構造における換気不充分となる現象や、特許文献２に係る墓の換気構造における納骨室２の内部の湿った空気の滞溜現象が生じなくなる。
【００３６】
この結果、納骨室２の内部の湿った空気を確実に換気して、納骨室２の内部の黴付きや石材からなる外柵１や納骨室２の側壁（右側壁２ａ，左側壁２ｂ）の劣化を有効に防止することができる。
【００３７】
なお、風が強い場合には、上部通気孔７から吹込んだ風（墓の外部の空気）で納骨室２の内部の湿った空気が下部通気孔５から排出されることもあり得る。
【００３８】
図５は、本発明に係る墓の換気構造を実施するための形態の第２例を示すものである。
【００３９】
第２例は、第１例の外柵１の右外柵１３，左外柵１４と納骨室２の右側壁２ａ，左側壁２ｂとにも下部通気孔５が設けられている。そして、両下部通気孔５がパイプ１０で接続されている。この下部通気孔５（パイプ１０）についても、第１例と同様に蓋体６が取付けられている。
【００４０】
第２例によると、流入する墓の外部の空気や排出される納骨室２の内部の湿った空気がパイプ１０に案内，規制されて無用に分散されなくなる。しかも、下部通気孔５の個数が増加されて異なる方向（左右方向）に配置されている。この結果、納骨室２の内部の湿った空気をより確実に換気して、納骨室２の内部の黴付きや石材からなる外柵１や納骨室２の側壁（右側壁２ａ，左側壁２ｂ）の劣化をより有効に防止することができる。
【００４１】
図６は、本発明に係る墓の換気構造を実施するための形態の第３例を示すものである。
【００４２】
第３例は、第２例のパイプ１０に多数の小孔１１を穿孔している。
【００４３】
第３例によると、パイプ１０を通過する墓の外部の空気の一部を空間Ｓに流入させて、空間Ｓを囲む外柵１や納骨室２の側壁（右側壁２ａ，左側壁２ｂ）の黴付きや劣化を防止することができるとともに、空間Ｓに充満されている黴付きや劣化を防止することができる。
【００４４】
さらに、第３例によると、パイプ１０を通過する墓の外部の空気の一部の空間Ｓへ流入は、パイプ１０を通過する墓の外部の空気の流入を加速させることになる。この結果、納骨室２の内部の湿った空気をより確実に換気して納骨室２の内部の黴付きや石材からなる外柵１や納骨室２の側壁右側壁２ａ，左側壁２ｂ）の劣化をより有効に防止することができる。
【００４５】
図７は、本発明に係る墓の換気構造を実施するための形態の第４例を示すものである。
【００４６】
第４例は、第３例の納骨室２の側壁（右側壁２ａ，左側壁２ｂ）に補助通気孔１２を設けている。補助通気孔１２は、納骨室２の内部と空間Ｓとを連通している。
【００４７】
第４例によると、空間Ｓに流入した墓の外部の空気や排出される納骨室２の内部の湿った空気が納骨室２の内部に流入したり、納骨室２の内部の湿った空気が空間Ｓ，パイプ１０の小孔１１を介して排出され、納骨室２の周囲に墓の外部の空気や納骨室２の内部の湿った空気の滞溜部分が完全に消失される。この結果、納骨室２の内部の湿った空気をより確実に換気して納骨室２の内部の黴付きや石材からなる外柵１や納骨室２の側壁右側壁２ａ，左側壁２ｂ）の劣化をより有効に防止することができる。
【００４８】
以上、図示した各例の外に、納骨室２が前側壁，後側壁を備えたものにも適用することができる。
【００４９】
さらに、下部通気孔５，上部通気孔７，補助通気孔１２の個数を増加させることも可能である。
【産業上の利用可能性】
【００５０】
本発明に係る墓の換気構造は、納骨室を遺骨が収納以外の他の用途に使用する石碑，記念塔等にも適用することが可能である。
【符号の説明】
【００５１】
１   
外柵
１１          前外柵
１２          後外柵
１３          右外柵
１４          左外柵
２            納骨室
２１          右側壁
２２          左側壁
３            基礎
４            墓石
４ｄ          芝台
５            下部通気孔
７            上部通気孔
１０          パイプ
１１          小孔
１２          補助通気孔
Ｓ            空間
【図１】
2011219984.tif 000003
【図２】
2011219984.tif 000004
【図３】
2011219984.tif 000005
【図４】
2011219984.tif 000006
【図５】
2011219984.tif 000007
【図６】
2011219984.tif 000008
【図７】
2011219984.tif 000009